(57)【要約】本発明は、貴金属の下地金属（１１１）および／または前記下地金属（１１１）上の金属メッキ層（１１２）を加工して模様が付けられた指輪（１１）あるいはその他の装身具、および宝飾品に関するものである。    本発明の貴金属宝飾品は、下地金属（１１１）の上面に金属メッキ層（１１２）が全面に一様な厚さに形成され、前記下地金属（１１１）および／または金属メッキ層（１１２）は、棒状研磨器具（１２）により、下地金属（１１１）が露出する光沢領域（１１１−１）、（１１１−２）が形成される。本発明の貴金属宝飾品は、前記棒状研磨器具（１２）により、全く研磨されていない領域で、金属メッキ層が露出している金属メッキ領域（１１２）が形成されている。そして、本発明の貴金属宝飾品の製造方法は、貴金属宝飾品が、下地金属（１１１）および／または金属メッキ層（１１２）を微細で異なる長さ、深さ、線幅方向のピッチを変えて線状に研磨するように制御されるので、金属メッキ層（１１２）、下地金属（１１１）の光反射が異なるため、マスクによって作製した模様と比較して、模様の周囲がハッキリせずに異なる光反射領域（１１３）が形成されて、高価な貴金属宝飾品として作製される。
2007105259.tif 000002
【特許請求の範囲】
【請求項１】
下地金属からなる貴金属と、前記貴金属上に形成された金属メッキ層とによって模様が形成されている貴金属宝飾品において、
前記金属メッキ層が露出している金属メッキ領域と、
前記金属メッキ領域を研磨し、下地金属の光沢面からなる光沢領域と、
前記金属メッキ層および下地金属を微細な線状に研磨するとともに、前記下地金属と前記金属メッキ層を研磨する深さおよび／または長さを異なるようにし、光の反射をそれぞれ異なるようにした異なる光反射領域と、前記金属メッキ領域、光沢領域、および異なる光反射領域が模様として形成されていることを特徴とする貴金属宝飾品。
【請求項２】
前記下地金属は、金、白金、銀、銅等の金属、あるいはこれらの合金の一つからなり、前記金属メッキ層は、ルテニウム、ロジウム、パラジウム、白金、銀、銅等の金属、あるいはこれらの合金の少なくとも一つからなることを特徴とする請求項１に記載された貴金属宝飾品。
【請求項３】
前記異なる光反射領域の微細な線状は、線状の金属メッキ層と、線状の下地金属が交互または所定の間隔で現れていることを特徴とする請求項１または請求項２に記載された貴金属宝飾品。
【請求項４】
前記金属メッキ領域、光沢領域、および異なる光反射領域は、湾曲面に設けられていることを特徴とする請求項１から請求項３のいずれか１項に記載された貴金属宝飾品。
【請求項５】
前記光沢領域と、前記光沢領域を囲む前記金属メッキ領域と、前記金属メッキ領域の周囲を囲む前記微細な線状からなる異なる光反射領域を基本としたパターンから構成されることを特徴とする請求項１から請求項４のいずれか１項に記載された貴金属宝飾品。
【請求項６】
下地は、陶磁器、ガラス、または合成樹脂で、その上に、下地金属層および金属メッキ層が形成されていることを特徴とする請求項１から請求項５のいずれか１項に記載された貴金属宝飾品。
【請求項７】
下地金属からなる貴金属と、前記貴金属上に形成された金属メッキ層とによって模様が形成されている貴金属宝飾品の作製方法において、
前記下地金属からなる貴金属の上に金属メッキ層を形成する工程と、
前記金属メッキ層を研磨した後、下地金属の面が光沢面となるまで研磨を行う工程と、
前記金属メッキ層および下地金属を先端に研磨材が形成されている棒状研磨器具の予め決められた往復運動により、微細な線状に研磨するとともに、前記下地金属と前記金属メッキ層を研磨する深さを異なるようにした工程と、
からなり、前記金属メッキ領域、光沢領域、および異なる光反射領域が模様として形成されることを特徴とする貴金属宝飾品の作製方法。
【請求項８】
前記異なる光反射領域の微細な線状の長さ、深さ、および、ピッチは、予め記憶されている情報に基づいて、ｘ軸方向、ｙ軸方向、ｚ軸方向に駆動できる駆動装置、および前記駆動装置の制御装置、被加工面を検出する被加工面検出センサによって形成されることを特徴とする請求項６に記載された貴金属宝飾品の製造方法。
【請求項９】
前記異なる光反射領域を作製する際に、前記棒状研磨器具の移動ピッチに変化を与えることを特徴とする請求項５または請求項６に記載された貴金属宝飾品の製造方法。
【請求項１０】
前記下地は、陶磁器、ガラス、あるいは合成樹脂からなり、前記下地上に、無電解メッキ、化学的または物理的気相成長、あるいはスパッタ法のいずれかにより、下地金属層および金属層が形成されることを特徴とする請求項５から請求項７のいずれか１項に記載された貴金属宝飾品の製造方法。
【発明の詳細な説明】
【技術分野】
【０００１】
本発明は、貴金属の下地金属および／または前記下地金属上の金属メッキ層を加工して模様が付けられた指輪あるいはその他の装身具、および宝飾品に関するものである。また、本発明は、前記貴金属の下地金属および／または前記下地金属上の金属メッキ層に対する模様の加工に際し、線状の深さ、長さ、線幅方向のピッチに変化を付けて光反射の異なる領域を加工することができる貴金属宝飾品の製造方法に関するものである。
【背景技術】
【０００２】
第５図（Ａ）から（Ｃ）は従来行われていた貴金属宝飾品に模様を付ける方法を説明するための図である。第５図（Ａ）において、たとえば、指輪５０は、下地金属５１が金または金の合金等からなる。前記下地金属５１の上面には、所望のパターンからなるマスク５２が形成される。前記下地金属５１は、前記マスク５２によって一部が覆われている状態で、前記マスク５２の無い部分に金属メッキが行われ、金属メッキ膜５３が形成される。次に、第５図（Ａ）に示された金または金の合金等からなる下地金属５１は、第５図（Ｂ）に示されるように、マスク５２が除去されて、下地金属５１の上に所定の模様からなる金属メッキ膜５３が残る。前記指輪５０は、第５図（Ｃ）に示すように上から見ると、金属メッキ膜５３をバックにしてマスク５２と同じ形状の下地金属５１が金色に見える。
本出願人は、特開２００２−２８２０２４号公報において、マスクを使用して外周にギザギザの縞状の模様を有する貴金属製装身具を提案した。
従来の貴金属宝飾品の製造方法は、必ず所定の形状をしたマスクを使用して、所望のパターンを金属メッキしていた。前記貴金属宝飾品の製造方法は、特許文献１のように硬質カーボン膜をマスクとして下地金属の上に設けているが、貴金属、たとえば、ルテニウムのメッキを施す際に、温度が高いため、前記マスクの形状が崩れ、あるいは剥がれる等により、所望のパターンが得られない場合がある。高温に耐えるマスクは、高価であるだけでなく、パターンの周囲をぼかしたい場合、前記マスクの跡がはっきりし過ぎるという問題があった。前記貴金属宝飾品は、パターンの跡が明確過ぎると、安物に見える場合があり、高価な貴金属を使用した割に見栄えが良くないという問題を有した。前記マスクの作製および除去は、化学的処理であるため、公害の発生に繋がる場合が多い。
以上のような課題を解決するために、本発明は、マスクを使用することなく、下地金属の上の全面に金属メッキ層を施し、前記金属メッキ層を微細に深さ、長さ、線幅方向のピッチを変えて線状に研磨することにより、前記金属メッキ層と下地金属の部分との間に異なる光反射領域を設けた貴金属宝飾品を提供することを目的とする。また、本発明は、下地金属上の金属メッキ層を検出することにより、予め記憶されているパターン周辺を所望の深さ、長さ、線幅方向のピッチを変えて研磨することにより、異なる光反射領域、あるいはぼかしの入った領域を作製することができる貴金属宝飾品の製造方法を提供することを目的としている。
【発明の開示】
【０００３】
本発明の貴金属宝飾品は、下地金属からなる貴金属と、前記貴金属上に形成された金属メッキ層とによって模様が形成されており、前記金属メッキ層が露出している金属メッキ領域と、前記金属メッキ領域を研磨し、下地金属の光沢面からなる光沢領域と、前記金属メッキ層および下地金属を微細な線状に研磨するとともに、前記下地金属と前記金属メッキ層を研磨する深さおよび／または長さを異なるようにし、光の反射をそれぞれ異なるようにした異なる光反射領域と、前記金属メッキ領域、光沢領域、および異なる光反射領域が模様として形成されていることを特徴とする。
また、本発明の貴金属宝飾品は、上記の貴金属宝飾品において、下地金属が、金、白金、銀、銅等の金属、あるいはこれらの合金の一つからなり、前記金属メッキ層は、ルテニウム、ロジウム、パラジウム、白金、銀、銅等の金属、あるいはこれらの合金の少なくとも一つからなることを特徴とする。
更に、本発明の貴金属宝飾品は、上記の貴金属宝飾品において、光の反射をそれぞれ異なるようにした異なる光反射領域の微細な線状が、線状の金属メッキ層と、線状の下地金属が交互または所定の間隔で現れていることを特徴とする。
更にまた、本発明の貴金属宝飾品は、上記の貴金属宝飾品において、金属メッキ領域、光沢領域、および異なる光反射領域が、湾曲面に設けられていることを特徴とする。
また、本発明の貴金属宝飾品は、上記の貴金属宝飾品において、光沢領域と、前記光沢領域を囲む前記金属メッキ領域と、前記金属メッキ領域の周囲を囲む前記微細な線状からなる異なる光反射領域を基本としたパターンから構成されることを特徴とする。
更に、本発明の貴金属宝飾品は、上記の貴金属宝飾品において、下地が陶磁器、ガラス、または合成樹脂で、その上に、下地金属層および金属メッキ層が形成されていることを特徴とする。
更にまた、本発明の貴金属宝飾品の製造方法は、下地金属からなる貴金属と、前記貴金属上に形成された金属メッキ層とによって模様が形成されており、前記下地金属からなる貴金属の上に金属メッキ層を形成する工程と、前記金属メッキ層を研磨した後、下地金属の面が光沢面となるまで研磨を行う工程と、前記金属メッキ層および下地金属を先端に研磨材が形成されている棒状研磨器具の予め決められた往復運動により、微細な線状に研磨するとともに、前記下地金属と前記金属メッキ層を研磨する深さを異なるようにした工程と、からなり、前記金属メッキ領域、光沢領域、および異なる光反射領域が模様として形成されることを特徴とする。
また、本発明の貴金属宝飾品の製造方法は、上記の製造方法において、異なる光反射領域の微細な線状の長さ、深さ、および、ピッチが、予め記憶されている情報に基づいて、ｘ軸方向、ｙ軸方向、ｚ軸方向に駆動できる駆動装置、および前記駆動装置の制御装置、被加工面を検出する被加工面検出センサによって形成されることを特徴とする。
更に、本発明の貴金属宝飾品の製造方法は、上記の製造方法において、異なる光反射領域を作製する際に、前記棒状研磨器具の移動ピッチに変化を与えることを特徴とする。
更にまた、本発明の貴金属宝飾品の製造方法は、上記の製造方法において、下地が、陶磁器、ガラス、あるいは合成樹脂からなり、前記下地上に、無電解メッキ、化学的または物理的気相成長、あるいはスパッタ法のいずれかにより、下地金属層および金属層が形成されることを特徴とする。
本発明によれば、貴金属宝飾品の下地金属と、その上に形成された金属メッキ層に対する線状の研磨深さ、長さ、線幅方向のピッチを変えて、微細に加工することにより、光反射の異なる領域が模様となって形成される。前記研磨深さ、長さ、ピッチの異なる線状は、下地金属の色、金属メッキ層の色、深さおよび／または長さによる光の反射の相違による色が入り交じる領域が形成されるので、マスクを使用したものと比較し、模様が綺麗に見え、貴金属の特質をさらに深めることができる。
また、本発明によれば、前記下地金属が見える領域、金属メッキが施された領域、および光反射の異なる領域の組み合わせを変えることにより、多くの模様を容易に作製することができる。特に、深さ、長さ、ピッチを変えた線状の研磨は、複雑な柄を表現できるとともに、動物の毛並み模様も表現できる。
更に、本発明によれば、研磨工具の先端部が金属メッキ層に接触する瞬間の位置を検出することで、前記時間と位置から予め記憶されている線状の深さ、長さ、線幅方向のピッチとなるように研磨が開始されるため、平面だけでなく、曲面に対しても、所望の異なる光反射領域の入った模様を正確に作製することができる。
更にまた、本発明によれば、マスクの形成および除去等に使用する薬品処理がないため、安全で、公害の発生がないだけでなく、模様に厚みの変化を表現した複雑な形状のものを大量生産することができる。
また、本発明によれば、下地金属と金属メッキ層との密着性が高いため、金属メッキ層が下地金属から剥がれることがなく、研磨器具を使用した修理、再生が容易にできる。
【図面の簡単な説明】
【０００４】
第１図（Ａ）は、本発明の実施例で、指輪に模様が形成された例を説明するための断面図である。
第１図（Ｂ）は、本発明の実施例で、指輪に模様が形成された例を説明するための斜視図である。
第２図は、本発明の模様を作製する状態を説明するための拡大模式図である。
第３図（Ａ）は、本発明の実施例で、下地金属の上面には、金属メッキ層が全面に一様の厚さで形成されていることを示す図である。
第３図（Ｂ）は、本発明の実施例で、光沢領域が形成された部分及び異なる反射領域の部分を拡大した図である。
第３図（Ｃ）は、第３図（Ｂ）のＩＩＩ−ＩＩＩ’線断面図である。
第４図は、本発明の貴金属宝飾品を作製するための製造方法の一例を説明する図である。
第５図（Ａ）は、貴金属宝飾品に模様を付ける従来の方法において、金または金の合金等からなる下地金属を示す図である。
第５図（Ｂ）は、貴金属宝飾品に模様を付ける従来の方法において、マスクが除去された状態を示す側面図である。
第５図（Ｃ）は、第５図（Ｂ）に示される状態の上面図である。
【発明を実施するための最良の形態】
【０００５】
本発明の貴金属宝飾品は、下地金属からなる貴金属と、前記貴金属上に形成された金属メッキ層とからなり、金属メッキ領域、下地金属の光沢領域、金属メッキ領域と下地金属の混在した異なる光反射領域によって模様が形成されている。前記金属メッキ領域は、前記金属メッキ層が研磨されることなく、そのままの状態で露出している。前記光沢領域は、前記金属メッキ領域が光沢を帯びて滑らかになるように研磨され、下地金属が露出した光沢面となっている。前記異なる光反射領域は、前記金属メッキ層および下地金属を微細な線状に研磨するとともに、前記下地金属と前記金属メッキ層を研磨する深さ、長さ、線幅方向のピッチを異なるようにしている。前記異なる光反射領域は、前記下地金属と金属メッキ層とによる光の反射を異なるようにしている。
また、本発明の貴金属宝飾品は、前記金属メッキ領域、光沢領域、および異なる光反射領域が模様として形成されているため、従来のように模様がハッキリし過ぎることがなく、豪華さを表現することができる。前記異なる光反射領域は、前記金属メッキ領域および光沢領域と合わせることでいろいろな模様とすることができる。特に、前記異なる光反射領域は、線の長さ、深さ、線幅方向のピッチを変えることにより、ハッキリした模様、ぼやけた模様等、数多くの組み合わせが容易にできる。
更に、本発明の貴金属宝飾品は、上記の貴金属宝飾品において、下地金属を金、白金、銀、銅等の金属あるいはこれらの合金の一つとし、上記の金属メッキ層をルテニウム、ロジウム、パラジウム、白金、銀、銅等の金属あるいはこれらの合金の少なくとも一つとすることができる。本発明の貴金属宝飾品は、下地金属および金属メッキ層の材料の選択、および金属メッキ層の積層順により、多くの変化ある色調および／または気品を表現することができる。前記金属は、電気を導通することができるとともに、たとえば、貴金属と組み合わせた場合に貴金属宝飾品として良さが発揮できるものであれば良い。
更にまた、本発明の貴金属宝飾品は、上記の異なる光反射領域を微細な線状としている。前記線状の金属メッキ層と、線状の下地金属は、交互または所定の間隔で現れているとともに、前記線の長さが異なっている。前記貴金属宝飾品の表面に形成された線は、深さ、長さ、および金属メッキ層からなる線幅方向のピッチが異なるため、模様の周囲における光の反射も異なり、形状がハッキリし過ぎるマスクを使用した模様と比較して、独特の色合いを表現することができる。特に、金属メッキ層にルテニウムを使用した場合、前記貴金属宝飾品は、下地金属の金色と、前記金属メッキからなるルテニウムの黒色とが入り交じった綺麗な模様ができる。
また、本発明の貴金属宝飾品は、上記の貴金属宝飾品において、金属メッキ領域、光沢領域、および異なる光反射領域が平面だけでなく、湾曲面に設けられる。前記湾曲面は、凹面、凸面、これらの組み合わされた面からなる。
更に、本発明の貴金属宝飾品は、上記の光沢領域、光沢領域を囲む前記金属メッキ領域、金属メッキ領域の周囲を囲む前記微細な線状からなる異なる光反射領域が組み合わされた模様、たとえば、動物の毛、あるいは豹柄模様とすることができる。
更にまた、本発明の貴金属宝飾品は、上記の貴金属宝飾品において、下地に陶磁器、ガラス、または合成樹脂が使用される。前記陶磁器、ガラス、または合成樹脂からなる下地の上には、下地金属層および金属メッキ層が形成されている。前記下地金属層および金属メッキ層は、ともに無電解メッキを厚めに形成することにより、上記の製造方法上記の貴金属宝飾品と同様な模様が研磨により達成できる。
また、本発明の貴金属宝飾品の製造方法は、下地金属からなる貴金属と、前記貴金属上に形成された金属メッキ層とによって模様が形成されている。まず、最初の工程は、下地金属からなる貴金属の上全面に金属メッキ層が、たとえば、一様な厚さで形成される。次の工程は、前記金属メッキ層を研磨した後、下地金属の表面も一部研磨するとともに前記下地金属の面が光沢面となるまで研磨を行う。さらに、次の工程は、前記金属メッキ層および下地金属を先端にダイヤモンド等の研磨材が形成されている棒状研磨器具の先端部を予め決められたパターンで往復運動させる。前記往復運動は、前記下地金属および／または金属メッキ層を微細で異なる長さ、深さ、線幅方向のピッチを変えて線状に研磨するように制御される。
本発明の貴金属宝飾品の製造方法によれば、貴金属宝飾品が、前記深さおよび／または長さ、異なる線幅方向のピッチで研磨されているので、金属メッキ層、下地金属の光反射が異なるため、マスクによって作製した模様と比較して、模様の周囲がハッキリせずに異なる光反射領域が形成されて、高価な貴金属宝飾品として作製される。
更に、本発明の貴金属宝飾品の製造方法は、予め記憶された情報に基づいて、棒状研磨器具をｘ軸方向、ｙ軸方向、ｚ軸方向に駆動できる駆動装置により駆動して、長さ、深さ、および、線幅方向のピッチの異なる微細な線状が交互、または所定の間隔で作製される。前記駆動装置の制御装置は、被加工面が平面でない場合、前記被加工面を検出する被加工面検出センサによって制御される。前記棒状研磨器具は、光沢用あるいは光の乱反射用の２種類が少なくともある。
更にまた、本発明の貴金属宝飾品の製造方法は、異なる光反射領域を作製する際に、前記棒状研磨器具の幅方向の移動ピッチに変化を与えている。前記幅方向の移動ピッチは、間隔が狭い場合、金属メッキ層が現れず、間隔が開いている場合、金属メッキ層が現れる。前記金属メッキ層がルテニウムの場合、前記異なる光反射領域は、前記ピッチを所定間隔で開けることにより、下地金属の金色とルテニウムの黒色が交互に現れるようにすることができる。さらに、前記線状の模様は、深さ、長さ、ピッチ間隔をそれぞれ変えることにより、各種色合いを表現することができる。
また、本発明の貴金属宝飾品の製造方法は、下地として陶磁器、ガラス、あるいは合成樹脂が使用される。前記陶磁器、ガラス、あるいは合成樹脂からなる下地上には、無電解メッキ、化学的または物理的気相成長、あるいはスパッタ法のいずれかにより、下地金属層および金属層が形成される。すなわち、前記非金属部材の上には、少なくとも２層の金属層が形成され、上記した研磨が施される。下地の上または全面には、金属または貴金属の層が形成されているため、指輪等と比較して大きなものが作製でき、模様や光具合が貴金属および金属メッキ層のものとほぼ同じように輝くものを作製することができる。
【実施例】
【０００６】
第１図（Ａ）は本発明の実施例で、指輪に模様が形成された例を説明するための断面図で、第１図（Ｂ）は斜視図である。第１図（Ａ）において、指輪１１は、たとえば、金または白金、銀、銅等の金属、あるいはこれらの合金からなる下地金属１１１の上面に、たとえば、金または白金、銀、銅等の金属、あるいはこれらの合金からなる少なくとも１層の金属メッキ層１１２がマスクを使用せずにメッキにより全面に一様の厚さに形成されている。第１図（Ｂ）に示される指輪１１は、本発明の加工が施された後の模様の例である。
第２図は本発明の模様を作製する状態を説明するための拡大模式図である。第２図において、前記下地金属１１１の上面には、全面に一様の厚さで形成されたメッキ層、たとえばルテニウム、からなる金属メッキ層１１２が形成されている。棒状研磨器具１２は、後述するように、前記指輪１１の表面位置を検出する表面位置センサの値に基づいて、ｘ軸方向、ｙ軸方向、ｚ軸方向駆動装置により駆動される。前記棒状研磨器具１２は、たとえば、リューターまたはダイヤモンドバーと言われる器具で、先端が細く形成され、その表面にダイヤモンドの砥粒が形成されている。前記光沢を出すための棒状研磨器具１２は、先端が丸く、きめ細かなダイヤモンド砥粒が形成されている。
前記棒状研磨器具１２は、線状の深さ、長さ、線幅方向のピッチが異なるように予め決められている情報を基に制御される。たとえば、前記棒状研磨器具１２−１は、前記下地金属１１１に達する深さまで研磨された状態を示している。次に、前記棒状研磨器具１２−２は、所定ピッチだけ図のｘ軸方向（拡大されている−実際はもっと間隔が接近している場合が多いが、その間隔の程度はデザインとして任意に選択できる）に移動した後、下地金属１１１の表面近傍に達するように研磨された状態を示している。さらに、前記棒状研磨器具１２−３は、所定ピッチだけ図のｘ軸方向に移動した後、前記金属メッキ層１１２の表面を僅かに研磨または研磨がされずに次の位置に移動する。前記棒状研磨器具１２−４は、所定のピッチだけ図のｘ軸方向に移動した後、前記下地金属１１１を深めに研磨した状態を示している。
前記棒状研磨器具１２は、下地金属１１１および／または金属メッキ層１１２を線状に、所望の深さ、長さ、ピッチで研磨する。前記深さ、長さ、ピッチの異なる線状の研磨は、金属メッキ層１１２の色、下地金属１１１の色、あるいは深さによる異なる反射により、見る角度等により、様々な色となる。
第２図に示された棒状研磨器具の例は、一例であり、前記駆動装置および制御装置により、きめ細かく制御される。
第３図（Ａ）から（Ｃ）は本発明の実施例で、棒状研磨器具によって研磨された指輪の例を説明するための図である。第３図（Ａ）において、下地金属１１１の上面には、金属メッキ層１１２が全面に一様の厚さで形成されている。第３図（Ｂ）は、第２図に示すように、棒状研磨器具１２（光沢用）により、下地金属１１１が露出する光沢領域１１１−１、１１１−２が形成される。また、前記金属メッキ領域１１２は、前記棒状研磨器具１２により、全く研磨されていない領域で、金属メッキ層が露出している。さらに、異なる反射領域１１３は、前記棒状研磨器具１２を線状に深さ、長さ、ピッチを変えて研磨した領域である。第３図（Ｃ）は、第３図（Ｂ）のＡ−Ａ断面図で、線状の深さ、長さ、およびピッチが異なり、光反射も異なる領域１１３、光沢領域１１１−２、および金属メッキ領域１１２があることが判る。
前記下地金属１１１は、たとえば、金、白金、銀、銅等の金属およびこれらの合金の中から一つが選択される。また、前記金属メッキ層１１２は、ルテニウム、ロジウム、白金、パラジウム、銀、銅等の金属、およびこれらの合金の少なくとも一つが選択される。前記金属メッキ層１１２は、一層でなく多層とすることができる。前記ルテニウムおよびこの合金は、黒が主体の色を表す。また、ロジウム、白金、パラジウム、あるいは、銀、およびこれらの合金は、銀白色を主体とした色を表す。これらの色は、同じ銀白色であっても、素材および素材の組み合わせにより色合いが多少異なるため、多層にした場合、見る人によって高級感、色調の変化を充分に楽しむことができる。前記下地金属１１１および／または金属メッキ層１１２は、前記金属および合金以外の貴金属あるいは金属を組み合わせることができる。
さらに、前記金属メッキ層１１２の上には、たとえば、硬質ガラス膜あるいは合成樹脂膜を形成することができる。前記硬質ガラス膜あるいは合成樹脂膜は、淡い色を含ませることにより、下地金属１１１の色、金属メッキ層１１２の色と組み合わされて、変化に富んだ美しい貴金属宝飾品となる。特に、異なる反射を行う光反射領域は、見る角度によって、光の反射量が異なるため、下地金属の色および前記硬質ガラス膜の色が、見る角度や光の反射程度によっていろいろ変化して見える。また、前記実施例の変形例は、下地金属１１１および金属メッキ層１１２の金や白金等を使用する代わりに、銀、銅、眞籌等を使用することができる。前記銀、銅、眞籌は、表面が酸化されて色が変わり易いが、前記硬質ガラス等の膜で覆うことで、酸化を防ぐことにより、前記金属の独特の色を巧みに組み合わせることができる。
第４図は本発明の貴金属宝飾品を作製するための製造方法の一例を説明する図である。第４図において、支持杆４１には、加工する指輪１１が支持されている。前記指輪１１は、たとえば、金の下地金属１１１の上全面に少なくとも一層の金属メッキ層１１２が形成されている。前記指輪１１の所望の場所には、研磨を行う棒状研磨器具４２が当てられている。前記棒状研磨器具４２は、固定装置４３に固定されている。前記固定装置４３は、ｘ軸方向、ｙ軸方向、ｚ軸方向に移動が可能な駆動装置４４に取り付けられている。
ｘ軸方向、ｙ軸方向、ｚ軸方向パターン記憶装置４５は、二次元または三次元の形状を入力できる形状入力装置４６から所望の形状が記憶される。また、被加工物の曲面は、前記棒状研磨器具４２のｘ軸方向、ｙ軸方向、およびｚ軸方向の移動を変える必要がある。そこで、被加工物表面位置検出装置４７は、前記棒状研磨器具４２の位置を検出して、前記ｘ軸方向、ｙ軸方向、ｚ軸方向パターン記憶装置４５に情報を送っている。前記棒状研磨器具４２は、前記三次元に対応する装置によって図３に示す模様を立体的に作製することができる。前記被加工物の光沢領域と異なる反射領域とは、棒状研磨器具４２の先端形状あるいはダイヤモンド砥粒の大きさを変える必要がある。
以上、本発明の実施例を詳述したが、本発明は、前記実施例に限定されるものではない。そして、本発明は、特許請求の範囲に記載された事項を逸脱することがなければ、種々の設計変更を行うことが可能である。第４図のブロックは、公知または周知の電子・情報処理技術によって達成できるものである。また、実施例は、湾曲した指輪について説明したが、平面を始めとして複雑な複合曲面を有する貴金属宝飾品にも適用できることはいうまでもないことである。本実施例における貴金属宝飾品は、陶磁器、ガラス、あるいは合成樹脂製の台からなるものに代えることができる。なお、本発明の貴金属宝飾品は、習い制御により、あるいは高度の技術を有する職人の手作業によっても、被加工物を固定する治具を使用することで、再現性の高いものが生産される。なお、本発明の貴金属宝飾品は、指輪を例にして説明したが、平面および／または曲面を有する物に適用することができる。
【産業上の利用可能性】
【０００７】
以上説明したように、本発明の貴金属宝飾品は、金属メッキ領域、光沢領域、および異なる光反射領域が模様として形成されているため、従来のように模様がハッキリし過ぎることがなく、豪華さを表現することができる。また、前記異なる光反射領域は、線の長さ、深さ、線幅方向のピッチを変えることにより、ハッキリした模様、ぼやけた模様等、数多くの組み合わせが容易にできる。
更に、本発明の貴金属宝飾品の製造方法によれば、貴金属宝飾品が、その下地金属および／または前記下地金属上の金属メッキ層に対する模様の加工に際し、線状の深さ、長さ、線幅方向のピッチに変化を付けて光反射の異なる領域を加工することができるので、金属メッキ層、下地金属の光反射が異なるため、マスクによって作製した模様と比較して、模様の周囲がハッキリせずに異なる光反射領域が形成されて、高価な貴金属宝飾品として作製される。
【図１】
2007105259.tif 000003
【図２】
2007105259.tif 000004
【図３】
2007105259.tif 000005
【図４】
2007105259.tif 000006
【図５】
2007105259.tif 000007
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
下地金属からなる貴金属と、前記貴金属上に形成された金属メッキ層とによって模様が形成されている貴金属宝飾品において、
前記金属メッキ層が露出している金属メッキ領域と、
前記金属メッキ領域を研磨し、下地金属の光沢面からなる光沢領域と、
前記金属メッキ層および下地金属を微細な線状に研磨するとともに、前記下地金属と前記金属メッキ層を研磨する深さおよび／または長さを異なるようにし、光の反射をそれぞれ異なるようにした異なる光反射領域と、
前記金属メッキ領域、光沢領域、および異なる光反射領域が模様として形成されていることを特徴とする貴金属宝飾品。
【請求項２】
前記下地金属は、金、白金、銀、銅等の金属、あるいはこれらの合金の一つからなり、  前記金属メッキ層は、ルテニウム、ロジウム、パラジウム、白金、銀、銅等の金属、あるいはこれらの合金の少なくとも一つからなることを特徴とする請求項１に記載された貴金属宝飾品。
【請求項３】
前記異なる光反射領域の微細な線状は、線状の金属メッキ層と、線状の下地金属が交互または所定の間隔で現れていることを特徴とする請求項１または請求項２に記載された貴金属宝飾品。
【請求項４】
前記金属メッキ領域、光沢領域、および異なる光反射領域は、湾曲面に設けられていることを特徴とする請求項１から請求項３のいずれか１項に記載された貴金属宝飾品。
【請求項５】
前記光沢領域と、前記光沢領域を囲む前記金属メッキ領域と、前記金属メッキ領域の周囲を囲む前記微細な線状からなる異なる光反射領域を基本としたパターンから構成されることを特徴とする請求項１から請求項４のいずれか１項に記載された貴金属宝飾品。
【請求項６】
下地は、陶磁器、ガラス、または合成樹脂で、その上に、下地金属層および金属メッキ層が形成されていることを特徴とする請求項１から請求項５のいずれか１項に記載された貴金属宝飾品。
【請求項７】
下地金属からなる貴金属と、前記貴金属上に形成された金属メッキ層とによって模様が形成されている貴金属宝飾品の作製方法において、
前記下地金属からなる貴金属の上に金属メッキ層を形成する工程と、
前記金属メッキ層を研磨した後、下地金属の面が光沢面となるまで研磨を行う工程と、
前記金属メッキ層および下地金属を先端に研磨材が形成されている棒状研磨器具の予め  決められた往復運動により、微細な線状に研磨するとともに、前記下地金属と前記金属メッキ層を研磨する深さを異なるようにした工程と、
からなり、前記金属メッキ領域、光沢領域、および異なる光反射領域が模様として形成  されることを特徴とする貴金属宝飾品の作製方法。
【請求項８】
前記異なる光反射領域の微細な線状の長さ、深さ、および、ピッチは、予め記憶されている情報に基づいて、ｘ軸方向、ｙ軸方向、ｚ軸方向に駆動できる駆動装置、および前記駆動装置の制御装置、被加工面を検出する被加工面検出センサによって形成されることを特徴とする請求項７に記載された貴金属宝飾品の製造方法。
【請求項９】
前記異なる光反射領域を作製する際に、前記棒状研磨器具の移動ピッチに変化を与えることを特徴とする請求項７または請求項８に記載された貴金属宝飾品の製造方法。
【請求項１０】
前記下地は、陶磁器、ガラス、あるいは合成樹脂からなり、前記下地上に、無電解メッキ、化学的または物理的気相成長、あるいはスパッタ法のいずれかにより、下地金属層および金属層が形成されることを特徴とする請求項７から請求項９のいずれか１項に記載された貴金属宝飾品の製造方法。
【手続補正２】
【補正対象書類名】図面
【補正対象項目名】図４
【補正方法】変更
【補正の内容】
【図４】
2007105259.tif 000008
【国際調査報告】
2007105259.tif 000009
2007105259.tif 000010